(57)【特許請求の範囲】
【請求項１】
装置本体に内蔵され、第１の記録メディアへアクセスして前記第１の記録メディアに記録された画像ファイルを読み取る第１のメディアドライブユニットと、
前記装置本体に内蔵され、前記第１の記録メディアとは異なる第２の記録メディアへアクセスして、前記第１の記録メディアから読み取った画像ファイルの書込みと書き込まれた画像ファイルの読取りとをする第２のメディアドライブユニットと、
前記装置本体に内蔵され、前記第１及び第２メディアドライブユニットを制御して、前記第１の記録メディアからすべての画像ファイルを読み取る読取り処理、これらすべての画像ファイルを１つのアルバムとしてまとめて格納するためのフォルダを前記第２の記録メディア内に作成する作成処理、及びそのフォルダ内に前記すべての画像ファイルをファイル作成日付順にソートして書き込む書込み処理を実行するコントローラと、
前記装置本体に設けられ、前記読取り処理、前記作成処理、及び前記書込み処理からなる一連の処理を自動的に実行するように前記コントローラに指示を入力する専用ボタンを配設した操作パネルと、
前記装置本体に設けられ、前記アルバム内の画像、前記アルバムのインデックス画像、及び前記インデックス画像内のコマの作成日付の範囲情報その他の識別情報を含むインデックス情報を表示するための表示手段とを備え、
前記第２の記録メディアに、１つのアルバムを書き込んだ後に別のアルバムの追加記録が可能なことを特徴とする画像ファイリング装置。
【発明の詳細な説明】
【０００１】
【発明の属する技術分野】
本発明は、記録メディアに画像ファイルをファイリングする画像ファイリング装置に関するものである。
【０００２】
【従来の技術】
デジタルカメラで撮影された画像データは、例えば、スマートメディア（商品名）などのメモリーカードに画像ファイルとして記憶される。メモリーカードは記憶容量が小さいため、記憶した画像ファイルは、比較的容量が大きいＣＤ−Ｒ（Ｃｏｍｐａｃｔ  Ｄｉｓｋ−Ｒｅｃｏｒｄａｂｌｅ）メディアなどの光ディスクにコピーして保存しておく必要がある。ＣＤ−Ｒメディアからデータを読み取るＣＤ−ＲＯＭドライブは、ほとんどのパーソナルコンピュータに内蔵されているので、画像ファイルをＣＤ−Ｒメディアに保存しておけば、手軽に画像ファイルを再生することができ便利である。
【０００３】
このＣＤ−Ｒメディアへデータを書き込むＣＤ−Ｒドライブも普及してきており、これを内蔵したパーソナルコンピュータとデジタルカメラとを接続すれば、メモリーカードに記録した画像ファイルをＣＤ−Ｒメディアへコピーすることができる。
【０００４】
このＣＤ−Ｒへコピーする際に、例えば、メモリーカード毎にフォルダを作成し、そのフォルダへメモリーカード内の複数の画像ファイルをまとめて１つのアルバムとして格納するというように、画像ファイルをファイリングして保存すれば、保存した画像の検索がしやすく便利である。
【０００５】
【発明が解決しようとする課題】
しかしながら、パーソナルコンピュータで画像ファイルのファイリング作業をする場合には、ＣＤ−Ｒ書き込み用ソフトの起動操作、コピーする画像ファイルの選択操作など各種の操作が必要である。このように、パーソナルコンピュータを使用したファイリング作業は、パーソナルコンピュータに不慣れな人にとっては、手間のかかるものであった。
【０００６】
また、保存した複数のアルバムの中から所望の画像を検索する場合には、画像を再生表示しながら探すのは大変なので、アルバムのインデックス画像があると便利である。特に、ファイリングしたアルバムの数や、それが保存されたＣＤ−Ｒメディアの数が増えるにつれて、インデックス画像の必要性は増す。しかし、パーソナルコンピュータを使用してこのようなインデックス画像を作成するためには、専用の画像表示ソフトなどが必要であり、パーソナルコンピュータに不慣れな人にとっては、ファイリング作業と同様に手間のかかるものであった。
【０００７】
前述した課題を解決するために、本発明は、画像ファイリング作業や画像の検索を簡単に行うことができる画像ファイリング装置を提供することを目的とする。
【０００８】
【課題を解決するための手段】
前記目的を達成するために、本発明の画像ファイリング装置は、装置本体に内蔵され、第１の記録メディアへアクセスして前記第１の記録メディアに記録された画像ファイルを読み取る第１のメディアドライブユニットと、前記装置本体に内蔵され、前記第１の記録メディアとは異なる第２の記録メディアへアクセスして、前記第１の記録メディアから読み取った画像ファイルの書込みと書き込まれた画像ファイルの読取りとをする第２のメディアドライブユニットと、前記装置本体に内蔵され、前記第１及び第２メディアドライブユニットを制御して、前記第１の記録メディアからすべての画像ファイルを読み取る読取り処理、これらすべての画像ファイルを１つのアルバムとしてまとめて格納するためのフォルダを前記第２の記録メディア内に作成する作成処理、及びそのフォルダ内に前記すべての画像ファイルをファイル作成日付順にソートして書き込む書込み処理を実行するコントローラと、前記装置本体に設けられ、前記読取り処理、前記作成処理、及び前記書込み処理からなる一連の処理を自動的に実行するように前記コントローラに指示を入力する専用ボタンを配設した操作パネルと、前記装置本体に設けられ、前記アルバム内の画像、前記アルバムのインデックス画像、及び前記インデックス画像内のコマの作成日付の範囲情報その他の識別情報を含むインデックス情報を表示するための表示手段とを備え、前記第２の記録メディアに、１つのアルバムを書き込んだ後に別のアルバムの追加記録が可能なことを特徴とする。
【００１４】
【発明の実施の形態】
図１および図２に示すように、画像ファイリング装置１０の装置本体１１には、第１および第２のメモリーカード１７，１８、ＣＤ−Ｒメディア１９の各記録メディアへアクセスして画像ファイルの読み取りや書き込みを行う各メディアドライブユニットと、画像ファイルに基づいて画像のプリントをするプリンタユニットが内蔵されている。これら各ユニットにより、各記録メディア間での画像ファイルのコピーや、各記録メディアから読み出した画像のプリントが行われる。
【００１５】
装置本体１１の前面には、ＣＤ−Ｒメディア１９をセットするためのトレイ１４と、給紙カセット１５をセットするための開口１６が設けられている。トレイ１４は、ＣＤ−Ｒドライブユニット１３の構成部分であり、図１に示す引き出し位置と、図２に示す収納位置との間で移動自在に取り付けられている。この移動は、取り出しボタン３１を押下することによって行われる。符号３２，３３は、ＣＤ−Ｒドライブユニットの動作状態を示すランプである。
【００１６】
ＣＤ−Ｒメディア１９は、周知のように、レーザ光を使用してデータの記録および読み取りが行われる光記録メディアである。ＣＤ−Ｒメディア１９にいったんデータを書き込むと、その部分に再度書き込みを行うことはできない。ＣＤ−Ｒメディア１９は、約６５０ＭＢ〜７００ＭＢの記憶容量を持ち、各種のメモリーカードに比べて記憶容量が大きい。このため、メモリーカードに記録された画像ファイルをファイリングして保存しておくための記録メディアとして使用される。
【００１７】
開口１６の奥には、プリンタユニット８６が設けられている。開口１６には、給紙カセット１５が着脱自在にセットされる。給紙カセット１５には、予め決められたサイズの記録紙３６が複数枚収納される。この給紙カセット１５からプリンタユニット８６へ記録紙３６が引き出され、画像がプリントされる。プリント済みの記録紙３６は、給紙カセット１５の上面に排紙される。
【００１８】
装置本体１１の前面には、トレイ１４と開口１６とを覆う閉じ位置と、これを露呈する開き位置との間で開閉自在な蓋１２が取り付けられている。
【００１９】
装置本体１１の前面からみてトレイ１４および開口１６の左横には、電源スイッチ２２が設けられている。また、トレイ１４および開口１６の右横には、各ユニットを操作するための操作パネル２０が設けられている。この操作パネル２０内には、各種の操作ボタン等の他、ＬＣＤ２１と、第１および第２のスロット２３，２４とが設けられている。
【００２０】
第１のメモリーカード１７は、スマートメディア（登録商標）であり、このメモリーカード１７は、スマートメディア（登録商標）専用のスロットである第１のスロット２３にセットされる。第２のスロット２４は、ＰＣカードタイプのメモリーカードがセットされるスロットである。このスロット２４には、ＰＣカードタイプのアダプタを使用することにより、ＰＣカードタイプのメモリーカードよりも小型の各種のメモリーカード，例えば，コンパクトフラッシュ（登録商標），ＳＤカード（登録商標），メモリスティック（登録商標），マイクロドライブ（登録商標）などをセットすることができる。
【００２１】
第１および第２の各スロット２３，２４の奥には、各メモリーカード１７，１８のメディアドライブユニットである第１および第２のカードリーダ９１，９２が配置されている。
【００２２】
デジタルカメラ２６で撮影された画像ファイルは、これら各メモリーカード１８に電気的に記録される。メモリーカードの記憶容量には各種のものがあるが、現在は約１６ＭＢ〜約６４ＭＢ程度の記憶容量が標準的である。
【００２３】
第１及び第２のカードリーダ９１，９２は選択的に使用され、これらの切り替えはスライドスイッチ２７によって行われる。第１及び第２のスロット２３，２４の奥の入り口付近には、図示しない遮蔽板がスライド自在に設けられており、この遮蔽板がスライドスイッチ２７に連動して第１及び第２のスロット２３，２４の一部を選択的に塞ぐ。これにより、スライドスイッチ２７を第１の位置にセットしたときには、第２のスロット２３の一部が遮蔽板により塞がれて、第２のメモリーカード１８をセットすることが禁止される。この反対に、スライドスイッチ２７を第２の位置にセットすると、第１のスロット２３の一部が塞がれて、第１のメモリーカード１７のセットが禁止される。
【００２４】
符号２９は、各スロット２３，２４にセットされた各メモリーカード１７，１８を取り出すための取り出しボタンである。符号３０は、各カードリーダの動作状態を示す動作ランプである。
【００２５】
操作パネル２０の中央には、ＬＣＤ２１が設けられている。ＬＣＤ２１は、操作画面や、各メモリーカード１７，１８又はＣＤ−Ｒメディア１９に記録された画像ファイルを再生表示するための表示手段である。
【００２６】
ＬＣＤ２１の下には、操作画面内のカーソルの移動や、コマの選択など汎用的に使用される汎用キー３８が設けられている。符号３９は選択したメニューを実行するための実行ボタンであり、符号４０は、直前の操作をキャンセルするためのキャンセルボタンである。操作画面とこれら各種操作ボタンとにより、各種の指示がなされる。
【００２７】
また、操作パネル２０には、これら汎用的に使用される各操作ボタンの他、使用頻度の高い機能を指示するための専用ボタンが設けられている。プリントボタン４１は、選択した画像やインデックス画像などのプリント指示をするための専用ボタンである。
【００２８】
保存ボタン３７は、第１又は第２のメモリーカード１７，１８内のすべての画像ファイルを、アルバムデータとしてＣＤ−Ｒメディア１９にファイリングする指示をするための専用ボタンである。
【００２９】
この保存ボタン３７を押下することにより、第１又は第２の各メモリーカード１７，１８内のすべての画像ファイルの読み取り処理，読み取られたすべての画像ファイルを１つのアルバムデータとしてまとめて格納するためのフォルダをＣＤ−Ｒメディア１９内に作成する処理，画像ファイルをソートして１つのアルバムデータとして、作成したフォルダ内に書き込む処理からなる一連の処理が自動的に実行される。
【００３０】
また、装置本体１１の後面には、モニタ４９と接続するためのビデオ出力端子８５や、ＵＳＢ（Ｕｎｉｂｅｒｓａｌ  Ｓｅｒｉａｌ  Ｂｕｓ）コネクタ８４が設けられている。ビデオ出力端子を使用すれば、操作画面や画像をモニタ４９に出力することもできる。
【００３１】
ＵＳＢコネクタ８４は、ＵＳＢケーブルを接続するためのコネクタであり、デジタルカメラ２６やパーソナルコンピュータとのデータ通信をするために使用される。画像ファイリング装置１０は、装置単体で動作する単体動作モードの他に、パーソナルコンピュータと接続してパーソナルコンピュータの周辺機器として動作するＰＣ従属動作モードとを備えている。
【００３２】
単体動作モードでは、各カードリーダ９１，９２，ＣＤ−Ｒドライブユニット１３，プリンタユニット８６の各ユニットは、操作パネル２０からの指示により動作する。ＰＣ従属動作モードでは、各ユニットの制御権がパーソナルコンピュータへ移行し、コンピュータから入力される指示により各ユニットが動作する。
【００３３】
このＰＣ従属動作モードでは、各ユニットは選択的に動作する。各ユニットの切り替えは、装置本体１１の側面に設けられたユニット選択スイッチ４２によって行われる。
【００３４】
単体動作モードとＰＣ従属動作モードとの切り替えは、ＵＳＢコネクタへのＵＳＢケーブルの抜き差しにより自動的に行われる。すなわち、パーソナルコンピュータと接続されたＵＳＢケーブルがＵＳＢコネクタに装着されると、ＰＣ従属動作モードに移行し、他方、ＵＳＢコネクタからＵＳＢケーブルが抜かれると、単体動作モードへ移行する。ＵＳＢインタフェースでは、前記電源供給線にパーソナルコンピュータから電圧が供給されるようになっており、画像ファイリング装置１０は、この電圧の有無を検出することにより各モードの切り替えを行う。
【００３５】
図３に示すように、デジタルカメラ２６で撮影された画像データは、例えば、第１のメモリーカード１７内に撮影画像ファイルＭＡ１〜ＭＡｎとして記録される。これら撮影画像ファイルＭＡ１〜ＭＡｎは、撮影画像フォルダにまとめて格納される。これら撮影画像ファイルのファイル形式や、フォルダ構造などは、ＤＣＦ（Ｄｅｓｉｇｎ  ｒｕｌｅ  ｏｆ  Ｃａｍｅｒａ  Ｆｉｌｅ  ｓｙｓｔｅｍ）規格によって決められている。各撮影画像ファイル１〜ｎは、例えば、ＥＸＩＦフォーマットで記録される。
【００３６】
ＥＸＩＦフォーマットは、撮影画像データに加えて、ＥＸＩＦＴＡＧデータが付加されたものである。撮影画像データは、例えば、画像データを圧縮して格納するＪＰＥＧ形式で記録される。撮影画像データの形式としては、このＪＰＥＧの他に、画像データとこのデータのファイル内の格納位置などを示す情報を記録するＴＡＧとからなるＴＩＦＦ（Taged Imafe File Format ）形式を使用してもよい。さらに、ＥＸＩＦフォーマットには、インデックス表示等に使用するためのサムネイル画像データを含めることもできる。撮影画像ファイルのファイル名もＤＣＦによって決められており、撮影画像データの形式としてＪＰＥＧを使用した場合には、各撮影画像ファイルＭＡ１〜ＭＡｎのファイル名は、ＤＳＣＦ０００１〜ｎ．ＪＰＧとなる。
【００３７】
ＥＸＩＦＴＡＧデータには、露出値，焦点距離，ストロボ発光の有無など撮影条件に関する撮影条件データと、ＭａｋｅｒＮｏｔｅＴＡＧデータとが含まれる。ＭａｋｅｒＮｏｔｅＴＡＧとは、各カメラメーカーが自由にメーカー固有の情報を設定できるエリアであり、このエリアには、例えば、撮影に使用した機種データなどが記録される。撮影日付等のデータもこのＥＸＩＦＴＡＧデータとして記録される。
【００３８】
図４は、画像ファイリング装置１０を使用してＣＤ−Ｒメディア１９にアルバムのデータを書き込んで作成されたオリジナルＣＤ−Ｒのデータ格納構造を示す。ＣＤ−Ｒメディア１９にデータを記録する際には、ファイル管理情報格納領域１９ａと、データ格納領域１９ｂとが予め設定される。ＣＤ−Ｒメディア１９のデータの記録位置（アドレス）は、ＦＡＴ（File Alocation Table) ファイルシステムにより管理される。
【００３９】
ＦＡＴファイルシステムは、ＭＳ−ＤＯＳ（登録商標）やＷｉｎｄｏｗｓ（登録商標）など、マイクロソフト社が開発したオペレーティングシステムで採用されているファイル管理システムである。
【００４０】
ファイル管理情報格納領域１９ａは、ＦＡＴファイルシステムに関連するファイル管理情報が格納されるシステム領域として使用される。このファイル管理情報格納領域１９ａ内は、さらに、マスターブート領域，ＦＡＴ領域，ＦＡＴ予備領域，ルートディレクトリ領域などの各領域に区画される。
【００４１】
ＣＤ−Ｒメディア１９へのデータの書き込みは、セッションと呼ばれる単位で行われる。１つのセッションは、データと、セッションの開始を示すリードイン情報およびその終わりを示すリードアウト情報とからなる。データ格納領域１９ｂへのデータ記録方式としては、ＩＳＯ９６６０規格で規定されたマルチセッション追加記録可能方式（以下、マルチセッション方式という）を採用している。マルチセッション方式とは、ＣＤ−Ｒメディア１９に空き容量がある限り、セッションの追加書き込みが可能な記録方式をいう。
【００４２】
例えば、第１のメモリーカード１７から読み出されたすべての撮影画像ファイルＭＡ１〜ＭＡｎをＣＤ−Ｒメディア１９へファイリングする際には、まず、すべての撮影画像ファイルＭＡ１〜ＭＡｎが、アルバム１のデータとしてまとめられる。そして、リードイン情報に続けてアルバム１のデータを書き込み、そのデータの後にリードアウト情報が記録される。
【００４３】
リードアウト情報の書き込みにより、１つのセッションがクローズされる。このように、アルバム１のデータは、１つのセッションで記録される。そして、別のメモリーカードから読み出された撮影画像ファイルは、アルバム２のデータとしてまとめられ、セッション２として追加記録される。
【００４４】
ＣＤ−Ｒメディア１９内にいくつのセッションが記録されているか、また、ＣＤ−Ｒメディア１９の空き容量がどれだけあるかといった情報は、ファイル管理情報として、ファイル管理情報格納領域１９ａに記録される。
【００４５】
また、後述するように、本装置１０は、セットされたＣＤ−Ｒメディア１９がオリジナルＣＤ−Ｒである場合には、アルバム検索およびその中の画像検索をしやすいように、インデックス情報を表示する機能を備えている。オリジナルＣＤ−Ｒかどうかの判定は、ファイル管理情報格納領域１９ａ内に記録されるボリューム名に基づいて行われる。
【００４６】
本装置１０を使用して未記録のＣＤ−Ｒメディア１９に最初にアルバムのデータを書き込む際には、後述するボリューム名付与規則に従って、ボリューム名が記録される。
【００４７】
図５は、本例で使用されるボリューム名の名称付与規則を示す。ボリューム名は、画像ファイリング装置１０の製品名「ＮＸ８００Ｍ」と、その装置の製造番号「１３４５」と、ディスクシリアルＮｏとからなる。このうち、製品名と装置番号とが、オリジナルＣＤ−Ｒかどうかを識別するためのオリジナルＣＤ−Ｒ識別情報となる。
【００４８】
また、オリジナルＣＤ−Ｒ識別情報として、製品名に加えて、製造番号を使用したことにより、ＣＤ−Ｒメディア１９又は装置１０に不具合が生じた場合など、その製造番号から装置１０を特定することができるので、故障箇所を特定しやすいというメリットが得られる。なお、製品名だけをオリジナルＣＤ−Ｒ識別情報として使用してもよい。
【００４９】
ディスクシリアルＮｏは、本装置１０を使用して作成されたオリジナルＣＤ−Ｒに付与される一連番号である。新品の画像ファイリング装置１０を使用して、１枚目の未記録のＣＤ−Ｒメディア１９にアルバムのデータを書き込む場合には、そのディスクシリアルＮｏは「０００１」となる。ディスクシリアルＮｏが「００２１」とは、２１枚目に作成されたオリジナルＣＤ−Ｒであることを示す。このディスクシリアルＮｏは、ＥＥＰＲＯＭなどの書き換え可能なメモリに記録される。このメモリ内のディスクシリアルＮｏは、工場出荷時に初期値「０００１」にセットされ、オリジナルＣＤ−Ｒを作成する毎に「１」ずつインクリメントされる。
【００５０】
このように付与された各ディスクシリアルＮｏは、複数のオリジナルＣＤ−Ｒ内でユニークな番号となるので、複数のオリジナルＣＤ−Ｒを識別するためのディスク識別情報として使用することができる。
【００５１】
図６は、オリジナルＣＤ−Ｒのフォルダ構造を示す。アルバムのデータは、アルバム毎に各フォルダ５１ａ，５１ｂ，５１ｃ・・・が作成され、それぞれのフォルダ内にまとめて格納される。各フォルダの名前は、それぞれの名前が１枚のオリジナルＣＤ−Ｒ内でユニークとなるように付与される。これにより、各アルバムの識別が行われる。本例では、最初に作成されたアルバム１のフォルダ５１ａの名前を「１００」とし、次に作成されたアルバム２のフォルダ５１ｂの名前を「１０１」というように、各フォルダ名は、作成された順に連番で付与される。
【００５２】
また、各フォルダ５１ａ，５１ｂ，５１ｃ・・・内の撮影画像ファイルは、作成日付順にソートされて格納される。そして、ソートされた順番に、新たなファイル名が付与される。本例では、「ＤＳＣＦ０００１」を先頭に連番でファイル名が付与される。
【００５３】
このファイル名付与規則は、図３に示したように、１台のデジタルカメラ２６が未記録のメモリーカードに撮影画像を記録する場合と同様である。しかし、１枚のメモリーカードにいったん記録した複数の撮影画像のうちのいくつかを削除したような場合には、ファイル名に歯抜けが生じることになり、メモリーカード内の複数の撮影画像のファイル名が連番にはならない。また、１枚のメモリーカードを２台のデジタルカメラ２６で使用したような場合には、カメラ毎に撮影画像フォルダが作成され、各フォルダ毎に撮影画像ファイルが記録される。そして、各撮影画像フォルダ内のファイル名は、カメラ毎に付与される。
【００５４】
本装置１０では、メモリーカード内の撮影画像ファイルのファイル名に歯抜けが生じていたり、複数の撮影画像フォルダに撮影画像ファイルが格納されているような場合でも、そのメモリーカードから読み出したすべての撮影画像ファイルに対して作成日付順にソート処理をし、ソートされた順番でファイル名が付与される。なお、本例のファイル名付与規則以外でも、アルバム内で各ファイル名が識別できれば、別の規則を使用してもよい。
【００５５】
なお、デジタルカメラ２６で撮影された撮影画像ファイルの作成日付は撮影日付と一致するので、作成日付順にソートを行えば、結果として撮影日付順にソートされたことになる。もちろん、ファイルの作成日付ではなく、撮影画像ファイル内にＥＸＩＦＴＡＧデータとして記録された撮影日付を読み出して、撮影日付順にソートを行ってもよい。
【００５６】
図７は、オリジナルＣＤ−Ｒに記録されたアルバムのインデックス画像のプリント例である。このインデックスプリント１１１には、２４コマのコマ画像ＰＩＣ１〜ＰＩＣ２４が並べて配列したインデックス画像１１３に加えて、インデックス情報１１２が記録される。なお、オリジナルＣＤ−Ｒ以外のＣＤ−Ｒメディア１９からインデックスプリントを作成する場合には、インデックス情報１１２はプリントされず、１枚の用紙に２５コマずつコマ画像がプリントされる。
【００５７】
インデックス情報１１２は、例えば、インデックスプリント１１１の左上部分に配置される。この部分を拡大した図８に示すように、インデックス情報１１２は、インデックスプリントＩＤと、１枚のインデックスプリント内のコマ画像ＰＩＣ１〜ＰＩＣ２４の作成日付の日付範囲情報とからなる。日付範囲情報は、インデックス画像１１３の先頭コマであるコマ画像ＰＩＣ１の作成日付と、最終コマであるコマ画像ＰＩＣ２４の作成日付とからなる。この日付範囲情報により、インデックスプリント１１１内の各コマ画像がいつ頃撮影されたものかを簡単に判別することができる。
【００５８】
また、各コマ画像ＰＩＣ１〜ＰＩＣ２４の下には、それぞれのコマ番号と作成日付とがプリントされる。コマ番号としては、当該コマ画像に対応する撮影画像ファイルのファイル名の一部（ＤＳＣＦ以下のシーケンス番号）に、そのファイルが格納されたフォルダ名を付加したものを使用している。このため、このコマ番号から、対応する撮影画像ファイルを簡単に検索することができる。
【００５９】
本例では、コマ番号にファイル名の一部を使用しているが、その目的は１つのアルバム内の各ファイルを識別することにあるので、その識別ができるのであればファイル名の全部を使用してもよい。また、コマ番号にフォルダ名の全部を使用しているが、その目的はコマ画像が１枚のオリジナルＣＤ−Ｒ内のどのアルバムに属しているかを識別することにあるので、その識別ができるのであればフォルダ名の一部だけを使用してもよい。
【００６０】
図９は、インデックスプリントＩＤのＩＤ付与規則を示す。インデックスプリントＩＤは、インデックスプリント１１１の識別情報であり、ディスクシリアルＮｏ，セッションＮｏ，ページ番号および総ページ数からなる。ディスクシリアルＮｏおよびセッションＮｏは、ファイル管理情報格納領域１９ａから読み出される。
【００６１】
１つのアルバムのデータと、ＣＤ−Ｒメディア１９へのデータ書き込み単位である１つのセッションとは、１対１で対応しているので、セッションＮｏは、１枚のオリジナルＣＤ−Ｒ内でユニークな情報となる。そして、このセッションＮｏとディスクシリアルＮｏとを合わせた情報は、複数枚のオリジナルＣＤ−Ｒ内に保存されたすべてのアルバムを識別するためのアルバム識別情報として利用することができる。
【００６２】
このアルバム識別情報により、所望の撮影画像が、複数枚のオリジナルＣＤ−Ｒの中のどのＣＤ−Ｒに保存されているか、さらに、そのオリジナルＣＤ−Ｒのどのアルバムに保存されているかを簡単に特定することができる。したがって、保存した複数のアルバムや画像の検索を非常に簡単に行うことができる。
【００６３】
総ページ数は、１つのアルバムから作成されたインデックスプリントの総ページ数である。１枚のインデックスプリント１１１内にプリントできるコマ数は、２４コマであるので、１つのアルバム内に２４コマ以上の撮影画像が含まれる場合には、そのアルバムのインデックスプリント１１１は、複数枚になる。このため、インデックスプリントの総ページ数と、そのうちの何ページ目かを示すことにより、各インデックスプリント１１１を整理しやすくしている。
【００６４】
このインデックスプリント１１１は、メニュー画面からインデックスプリントメニューを選択することにより作成される。また、ＣＤ−Ｒメディア１９にアルバムが書き込まれたときには、そのアルバムのインデックスプリント１１１が自動的に作成される。
【００６５】
また、本装置１０は、インデックス画像１１３をＬＣＤ２１に表示する機能を備えている。このインデックス表示では、例えば、図１０に示すように、１画面内にコマ画像が３コマずつ表示される。汎用キー３８を操作することにより、次のコマ画像が順次表示される。もちろん、ＬＣＤ２１に１つのアルバム内のすべてのコマ画像を表示させてもよい。このようにＬＣＤ２１にインデックス画像を表示させるようにしたから、画像ファイリング装置１０にモニタ４９を接続することなく、各記録メディア内の撮影画像を検索することができる。
【００６６】
さらに、オリジナルＣＤ−Ｒに保存されたアルバムのインデックス画像１１３を表示する場合には、３コマのコマ画像の表示をする前に、図１１に示すように、先頭の１コマと、インデックス情報１１２とが表示されるようにしている。ＬＣＤ２１内には、２つのインデックス情報１１２が表示されている。図１１に示された２つのインデックスプリントＩＤは、ディスクシリアルＮｏ，セッションＮｏが同じであるので、これらの表示から、１つのアルバムのインデックス画像の１ページ目と２ページ目であることがわかる。
【００６７】
また、インデックス情報１１２には作成日付の範囲情報が含まれているので、この情報から所望の撮影画像を含むインデックス画像１１３の検索がしやすい。また、この例では、インデックス情報１１２とともに、先頭の１コマのコマ画像を表示するようにしているが、複数コマを表示させるようにしてもよいし、また、コマ画像を表示させずに、インデックス情報１１２だけを表示させるようにしてもよい。
【００６８】
汎用キー３８でスライドバー又はカーソル等を移動させることにより、オリジナルＣＤ−Ｒ内のすべてのアルバムのインデックス画像１１３およびインデックス情報１１２を順次表示させることができる。この例では、ＬＣＤ２１の画面内に２つのインデックス情報１１２を同時に表示させるようにしているが、もちろん１つずつ表示させてもよいし、３つ以上同時に表示させてもよい。このように、インデックス情報を表示することにより、撮影画像やインデックス画像の検索がより簡単になる。
【００６９】
この表示から１つのインデックス情報１１２を選択すると、オリジナルＣＤ−Ｒ以外のメディアの場合と同様に、選択されたインデックス画像１１３内のコマ画像が３コマずつ表示される。
【００７０】
図１２は、画像ファイリング装置１０の電気構成を示すブロック図である。システムコントローラ７１は、単体動作モードでは、操作パネル２０からの指示により各種プログラムを実行し装置内の各部を制御する。また、ＰＣ従属動作モードでは、パーソナルコンピュータからの指示に従って、各部を制御する。また、システムコントローラ７１は、セットされたＣＤ−Ｒメディア１９がオリジナルＣＤ−Ｒかどうかなど各種の判定を行う。
【００７１】
ＲＯＭ７７には、システムコントローラ７１が実行する各種のプログラムが書き込まれている。メインメモリ７８は、システムコントローラが各種プログラムを実行する際の作業用メモリとして使用される。ＶＲＡＭ７９は、モニタに画像や操作画面を出力する際に使用される表示用メモリであり、ビデオ出力端子８５と接続されている。ＥＥＰＲＯＭ８０は、上述したディスクシリアルＮｏを記憶するために使用される。
【００７２】
画像処理部８１は、撮影画像ファイルに対して各種の画像処理を施す他、撮影画像ファイルのソート処理，ファイル名変更処理，複数のコマ画像が並べて配列されるインデックス画像作成処理など各種の加工処理を施す。
【００７３】
通信コントローラ８３は、ＵＳＢインタフェースで規定された通信プロトコルにしたがって、ＵＳＢコネクタ８４を介して接続された各機器とのデータの送受信を制御する。プリンタユニット８６は、給紙カセット１５内から記録紙３６を引き出し、引き出した記録紙３６に各コマ毎の撮影画像や、インデックス画像をプリントする。
【００７４】
また、システムコントローラ７１には、第１および第２のカードリーダ９１，９２と、ＣＤ−Ｒドライブユニット１３とが接続されている。ＣＤ−Ｒドライブユニット１３は、ＣＤ−Ｒメディア１９を回転させる回転機構，ＣＤ−Ｒメディア１９にレーザー光を照射して書き込みと読み取りとを行うヘッド部，トレイ１４のスライド機構，これらを駆動するための駆動モータなどからなるドライブ機構９４と、このドライブ機構９４を制御するドライブコントローラ９５とからなる。
【００７５】
ドライブコントローラ９５には、バッファメモリ９６が設けられている。バッファメモリ９６は、ＣＤ−Ｒドライブユニット９３のデータ書き込み速度と、他の記録メディアから読み取られるデータの転送速度との差を緩衝するためのメモリである。
【００７６】
以下、図１３〜１５に示すフローチャートを参照しながら、本発明の作用を説明する。図１３に示すように、撮影画像をファイリングする場合には、電源スイッチ２２をオンして、例えば、撮影画像ファイルが記録された第１のメモリーカード１７を、第１のスロット２３にセットする。他方、書き込み先となるＣＤ−Ｒメディア１９をＣＤ−Ｒドライブユニット１３にセットする。
【００７７】
保存ボタン３７を押すと、メモリーカードおよびＣＤ−Ｒメディアの各メディアがセットされているかどうか、ＣＤ−Ｒメディアの空き容量があるかどうか、記録紙３６があるかどうかなどのチェックが行われる。これらのいずれかのチェック結果がエラーの場合には、警告表示を行う。この警告表示は、例えば、ＬＣＤ２１にエラーメッセージを表示することにより行われる。
【００７８】
すべてのチェック結果にエラーが無い場合には、第１のカードリーダ９１が第１のメモリーカード１７内のすべての撮影画像ファイルの読み取りを開始する。読み取られた撮影画像ファイルは、画像処理部８１に送られる。画像処理部８１では、撮影画像ファイルのソート処理，ファイル名変更処理が行われる。これらの処理が終了した撮影画像ファイルは、ＣＤ−Ｒドライブユニット１３に送られて、１つのアルバムのデータとして、ＣＤ−Ｒメディア１９に書き込まれる。
【００７９】
図１４に示すように、ＣＤ−Ｒメディア１９への書き込み処理では、まず、ＣＤ−Ｒメディア１９が記録済みであるかどうかが判定される。この判定は、ＣＤ−Ｒメディア１９内のファイル管理情報に基づいて行われる。未記録のＣＤ−Ｒメディア１９と判定された場合には、ＥＥＰＲＯＭ８０から必要な情報を読み出し、図５に示すボリューム名付与規則にしたがって、ファイル管理情報格納領域１９ａにボリューム名の書き込みを行う。
【００８０】
ボリューム名の書き込み後、データ格納領域１９ｂ内にフォルダが作成される。メモリーカードから読み取られたすべての撮影画像ファイルに対して作成日付順にソート処理が行われ、さらに、そのソートされた順番でファイル名が付与される。これらの撮影画像ファイルがアルバムのデータとしてフォルダ内に格納される。ＣＤ−Ｒメディア１９への書き込み終了後、インデックスプリント処理が行われる。まず、データ格納領域１９ｂ内のアルバムのデータを読み出して、画像処理部８１で、２４コマ毎のインデックス画像１１３が作成される。
【００８１】
また、ファイル管理情報格納領域１９ａから、ディスクシリアルＮｏ，セッションＮｏを読み出し、これらの情報と撮影画像ファイルの作成日付を基にインデックス情報１１２が作成される。これら作成されたインデックス画像１１３およびインデックス情報１１２とが合成され、合成された画像がプリンタユニット８６に送られる。プリンタユニット８６は、この合成された画像を記録紙３６にプリントし、インデックスプリント１１１を排紙する。
【００８２】
他方、記録済みのＣＤ−Ｒメディア１９である場合には、ボリューム名の書き込みを行なわれない。その他の処理は、未記録のＣＤ−Ｒメディア１９の場合と同様に行われる。また、インデックスプリント処理では、インデックス情報のプリントは行われず、２５コマのインデックス画像がプリントされる。
【００８３】
このように、保存ボタン３７を押下することにより、ＣＤ−Ｒメディア１９にフォルダを作成し、そのフォルダ内に、作成日付順にソートされた撮影画像ファイルが１つのアルバムとしてまとめて格納されるので、撮影画像ファイルのファイリング作業を簡単に行うことができる。
【００８４】
この例では、保存ボタン３７を押下することにより、ＣＤ−Ｒメディア１９へのアルバムの書き込み処理と、そのインデックスプリント処理とが自動的に行われるようにしているが、アルバムの書き込み処理だけを自動的に行うようにしてもよい。
【００８５】
また、インデックスプリント処理をするかしないかをユーザーが選択できるようにしてもよい。この場合には、インデックスプリント処理をするかしないかを予め設定できるようにしてもよいし、また、保存ボタン３７の押下後、データの書き込み前又は後に、インデックスプリント処理をするかしないかの問い合わせメッセージをＬＣＤ２１に表示し、その時点でユーザが選択できるようにしてもよい。
【００８６】
また、図１５に示すように、ＣＤ−Ｒメディア１９からアルバムのデータを読み出して、ＬＣＤ２１にインデックス画像１１３を表示する場合には、メニュー画面からインデックス表示メニューを選択し、インデックス画像の再生を指示する。
【００８７】
再生指示がなされると、セットされたＣＤ−Ｒメディア１９のボリューム名を読み取って、そのＣＤ−Ｒメディア１９がオリジナルＣＤ−Ｒかどうかの判定を行う。オリジナルＣＤ−Ｒではないと判定された場合には、図１０に示すように、ＣＤ−Ｒメディア１９内のアルバムの先頭３コマの画像をＬＣＤ２１に表示する。
【００８８】
他方、オリジナルＣＤ−Ｒであると判定された場合には、図１１に示すように、インデックス情報１１２と、インデックス画像１１３の先頭１コマとをＬＣＤ２１に表示する。
【００８９】
このＬＣＤ２１に表示されたインデックス画像１１３やインデックス情報１１２を基に画像の検索が行われる。インデックス画像の表示を終了する場合には、操作パネル２０から終了指示をして終了させる。
【００９０】
上記例では、画像ファイリング装置内に、ＣＤ−Ｒドライブユニットの他に、２つのカードリーダを設けた例で説明しているが、カードリーダはいずれか１つでもよいし、３つ以上設けてもよい。このカードリーダとして読み取り専用のＣＤ−ＲＯＭドライブを設けてもよい。こうすれば、ＣＤメディアからＣＤメディアへのコピーが可能になる。
【００９１】
また、アルバムのデータが書き込まれる記録メディアとしてＣＤ−Ｒメディアを例に説明したが、１回書き込みをした部分に再書き込みが可能な光記録メディアであるＣＤ−ＲＷメディアを使用してもよい。この場合には、ドライブユニットをＣＤ−ＲＷに対応させる必要がある。また、ＣＤ−Ｒ，ＣＤ−ＲＷの他に、ＤＶＤなどの記録メディアを使用できるようにしてもよい。
【００９２】
【発明の効果】
以上詳細に説明したように、本発明は、装置本体に内蔵され、第１の記録メディアへアクセスして前記第１の記録メディアに記録された画像ファイルを読み取る第１のメディアドライブユニットと、前記装置本体に内蔵され、前記第１の記録メディアとは異なる第２の記録メディアへアクセスして、前記第１の記録メディアから読み取った画像ファイルの書込みと書き込まれた画像ファイルの読取りとをする第２のメディアドライブユニットと、前記装置本体に内蔵され、前記第１及び第２メディアドライブユニットを制御して、前記第１の記録メディアからすべての画像ファイルを読み取る読取り処理、これらすべての画像ファイルを１つのアルバムとしてまとめて格納するためのフォルダを前記第２の記録メディア内に作成する作成処理、及びそのフォルダ内に前記すべての画像ファイルをファイル作成日付順にソートして書き込む書込み処理を実行するコントローラと、前記装置本体に設けられ、前記読取り処理、前記作成処理、及び前記書込み処理からなる一連の処理を自動的に実行するように前記コントローラに指示を入力する専用ボタンを配設した操作パネルと、前記装置本体に設けられ、前記アルバム内の画像、前記アルバムのインデックス画像、及び前記インデックス画像内のコマの作成日付の範囲情報その他の識別情報を含むインデックス情報を表示するための表示手段とを備え、前記第２の記録メディアに、１つのアルバムを書き込んだ後に別のアルバムの追加記録が可能なようにしたから、画像ファイルのファイリング作業を簡単に行うことができる。また、画像の検索を簡単に行うことができる。
【図面の簡単な説明】
【図１】画像ファイリング装置の外観斜視図である。
【図２】給紙カセットをセットした状態の画像ファイリング装置の外観図である。
【図３】メモリーカード内の撮影画像ファイル格納構造および撮影画像ファイルのデータ構造の説明図である。
【図４】ＣＤ−Ｒメディアのセッション記録構造の説明図である。
【図５】ボリューム名付与規則の説明図である。
【図６】オリジナルＣＤ−Ｒ内のフォルダ構造の説明図である。
【図７】インデックスプリントの説明図である。
【図８】インデックス情報と、ボリューム名およびファイル名との関連を示す説明図である。
【図９】インデックスプリントＩＤの付与規則の説明図である。
【図１０】ＬＣＤにインデックス画像を表示した例を示す説明図である。
【図１１】ＬＣＤにインデックス情報を表示した例を示す説明図である。
【図１２】画像ファイリング装置の電気構成を示すブロック図である。
【図１３】撮影画像のファイリング処理の手順を示すフローチャートである。
【図１４】ＣＤ−Ｒメディアへの書き込み処理の手順を示すフローチャートである。
【図１５】インデックス表示の手順を示すフローチャートである。
【符号の説明】
１０  画像ファイリング装置
１３  ＣＤ−Ｒドライブユニット
１７  第１のメモリーカード
１８  第２のメモリーカード
１９  ＣＤ−Ｒメディア
３７  保存ボタン
１１１  インデックスプリント
１１２  インデックス情報
１１３  インデックス画像
【図１】
0004224231.tif 000002
【図２】
0004224231.tif 000003
【図３】
0004224231.tif 000004
【図４】
0004224231.tif 000005
【図５】
0004224231.tif 000006
【図６】
0004224231.tif 000007
【図７】
0004224231.tif 000008
【図８】
0004224231.tif 000009
【図９】
0004224231.tif 000010
【図１０】
0004224231.tif 000011
【図１１】
0004224231.tif 000012
【図１２】
0004224231.tif 000013
【図１３】
0004224231.tif 000014
【図１４】
0004224231.tif 000015
【図１５】
0004224231.tif 000016